(57)【要約】      （修正有）【課題】特に地吹雪の時に視線誘導効果の高い視線誘導灯を提供する。【解決手段】ＬＥＤ収容室３を覆うように雪割り形の屋根４を形成し、前記ＬＥＤ収容室３の下面を透明板５で覆った構成の誘導灯本体２を形成する。前記ＬＥＤ収容室３内に下向きに高輝度ＬＥＤ１３を組み込む。路肩のポール１２に対しては、取付金具６とポール取付金具９を用いて視線誘導灯１を取り付け、商用又は太陽電池を電源として高輝度ＬＥＤ１３を発光させることにより、路肩に沿って視線誘導光を形成し、安全運転に寄与する。【選択図】図４
2010174530.tif 000002
【特許請求の範囲】
【請求項１】
ａ．ＬＥＤ収容室を覆うように急傾斜角の雪割り屋根を形成し、前記ＬＥＤ収容室          の正面を透明板で覆った構成の誘導灯本体と、
ｂ．前記ＬＥＤ収容室内において、下向きに組み込まれたＬＥＤと、
ｃ．から成る視線誘導灯。
【請求項２】
前記ＬＥＤには高輝度ＬＥＤが用いられていることを特徴とする請求項１に記載の視線誘導灯。
【請求項３】
前記透明体が平板又はレンズから成ることを特徴とする請求項１に記載の視線誘導灯。
【請求項４】
前記ＬＥＤの電源が商用又は太陽電池から成ることを特徴とする請求項１に記載の視線誘導灯。
【請求項５】
前記誘導灯本体の雪割り屋根を三角形又はコーン形状に形成して成る請求項１に記載の視線誘導灯。
【請求項６】
前記誘導灯本体の一部には、支柱又はポールに対する固定金具が備えられていることを特徴とする請求項１に記載の視線誘導灯。
【請求項７】
前記視線誘導灯は、単独で又は矢羽根と併用で支柱又はポールに取り付けて用いられることを特徴とする請求項１に記載の視線誘導灯。
【発明の詳細な説明】
【技術分野】
【０００１】
本発明は、路肩に沿って設置される視線誘導灯に関し、詳しくは、特に地吹雪が発生したときに視線を誘導して安全運転に寄与するための視線誘導灯に関する。
【背景技術】
【０００２】
道路において積雪があったり、吹雪であったりすると、運転者には路肩が判りづらいことから、この路肩が判るように、路肩に沿ってスノーポール又は矢羽根と称される路肩表示器が設置されている。そして、この矢羽根には、反射式と自発光式がある。
【０００３】
しかし、上記スノーポールは勿論のこと、矢羽根の場合でも、吹雪、豪雨、濃霧等であって、特に地吹雪が舞っているような時には機能しなくなる場合がある。
【０００４】
そこで、特開２００４−４４３３６号公報には、路肩を柱状の光により照明して地吹雪等の時でも安全に視線を誘導するための表示装置が紹介されている。
【０００５】
この表示装置は、その請求項１に記載の発明においては、安定器と、熱吸収膜層を設けた反射鏡と、シャッタ機構と、集光レンズとを有する高輝度放電灯本体と、該高輝度放電灯を道路面あるいは道路面近傍から所望の高さの位置に指示させる柱本体とよりなり、上記高輝度放電灯の一次焦点にシャッタを挿入し、シャッタで絞られた光をレンズで集光させ、上記道路面あるいは道路面近傍に照射させることを内容とするものである。
【０００６】
また、請求項２に記載の発明においては、上記高輝度放電灯の中心照射光度は、５０，０００乃至１，０００，０００カンデラ（ＣＤ）であることを内容とするものである。
【０００７】
また、請求項３に記載の発明においては、上記高輝度放電灯本体は、安定器と、熱吸収膜層を設けた反射鏡と、シャッタ機構と、集光レンズと光の明暗或いは気象の変化で作動するセンサと、該センサあるいは手動で操作するオン・オフスイッチとからなることを内容とするものである。
【０００８】
また、請求項４に記載の発明においては、上記高輝度放電灯本体を持つ柱本体を、道路の路肩などの所定の位置に適当間隔で複数個設け、それぞれが対向する柱本体の高輝度放電灯からそれぞれ対向する方向に光を照射させるようになすことで、照射距離を任意の長さとすることを内容とするものである。
【発明の開示】
【発明が解決しようとする課題】
【０００９】
しかし、上記表示装置の場合、照明光を柱状として路肩部分を照射することにより、スポット的な照明で視線誘導効果を高めているが、高輝度放電灯として、ナトリウムランプ、メタルハライドランプ、水銀ランプ等を用い、更にシャッター機構を有していることから、製品単価が高価となるばかりでなく、消費電力も多く、省エネの観点からは、その設置数量多くなるだけに無視できない。
【００１０】
また、大きな電力を必要とするため太陽電池の使用はできない。
【００１１】
また、この表示装置の場合、降雪対策がとられていないため、着雪により照明機能が半減又は全く機能しなくなるということもある。
【００１２】
本発明はかかる点に鑑みて提案されるものであって、その目的は、降雪時や豪雨、濃霧等の悪天候時には勿論のこと、特に地吹雪の時のように悪条件の時でも有効な視線誘導灯であって、制作コストが安く、小電力で駆動し、耐久性に富み、着雪しない視線誘導灯を提供することである。
【課題を解決するための手段】
【００１３】
上記目的を達成するために提案する請求項１に記載の発明は、路肩照明器においてａ．ＬＥＤ収容室を覆うように急傾斜角の雪割り屋根を形成し、前記ＬＥＤ収容室の正面を透明板で覆った構成の誘導灯本体と、ｂ．前記ＬＥＤ収容室内において、下向きに組み込まれたＬＥＤと、から成ることを特徴とするものである。
この発明によると、着雪の心配がなく、ＡＣ電源以外に太陽電池を電源として用いることができる。
【００１４】
更に、請求項２に記載の発明においては、請求項１に記載の視線誘導灯において、前記ＬＥＤには高輝度ＬＥＤが用いられていることを特徴とするものである。
この発明によると、低コスト、省エネ化、長寿命化が可能である。
【００１５】
更に、請求項３に記載の発明においては、請求項１に記載の視線誘導灯において、前記透明体が平板又はレンズから成ることを特徴とするものである。
この発明によると、用途に応じて照射角を設定することができる。
【００１６】
更に、請求項４に記載の発明においては、請求項１に記載の視線誘導灯において、前記ＬＥＤの電源が商用又は太陽電池から成ることを特徴とするものである。
この発明によると、商用電源をとり難い山間部においても利用することができる。
【００１７】
更に、請求項５に記載の発明においては、請求項１に記載の視線誘導灯において、前記誘導灯本体の雪割り屋根を三角形又はコーン形状に形成して成ることを特徴とするものである。
この発明によると、降雪の多い地方において有効である。
【００１８】
更に、請求項６に記載の発明においては、請求項１に記載の視線誘導灯において、前記誘導灯本体の一部には、支柱又はポールに対する固定金具が備えられていることを特徴とするものである。
【００１９】
更に、請求項７に記載の発明においては、請求項１に記載の視線誘導灯において、単独で又は矢羽根と併用で支柱又はポールに取り付けて用いることができる。
この発明によると、昼間や好天時には矢羽根で、夜間や地吹雪時等においては、本発明の視線誘導灯が運転者の視線を安全に誘導することができる。
【発明の効果】
【００２０】
本発明は以上のように、誘導灯本体において、急な急斜面（雪割り面）から成る屋根を設けたことにより、降雪時に着雪の虞れがない。
【００２１】
また、発光体に高輝度ＬＥＤを用いたことにより、水銀ランプ等の高輝度放電灯に比較して製品コストが良く、消費電力が少ないことから省エネ的であり、小電力で駆動することから太陽電池を電源として用いることができる。
【００２２】
また、高輝度ＬＥＤの向きやレンズ等を用いることにより、照射角度を任意に設定できるため、設置場所の条件や用途に応じた用い方ができる。
【００２３】
また、高輝度ＬＥＤを用いることにより、軽量化が可能であると共に耐久性に優れている。
【００２４】
また、本発明に係る視線誘導灯は、単独で使用することもできるし、既設の矢羽根を取り付けた支柱又はポール又は矢羽根の裏に直接取り付けて矢羽根と併用したり、あるいは既設の矢羽根と交換して用いることができる。
【実施例】
【００２５】
以下図１〜６に基づいて上記に本発明の実施例を詳細に説明する。図１は視線誘導灯の正面図、図２は側面図、図３は下方から見たときの正面図、図４はＡ−Ａ´線断面図、図５は支柱ポールに本発明に係る視線誘導灯を取り付けた状態の説明図、図６は既設の矢羽根のところに本発明に係る視線誘導灯を一緒に取り付けて併用したときの説明図である。
【００２６】
各図において、符号の１は視線誘導灯全体を示し、２は誘導灯本体である。この誘導灯本体２は平面視四角形であって、水密構造のＬＥＤ収容室３の上に、この収容室３を覆うように三角形状（雪割り構造）の屋根４を形成したアルミ板製のもので、前記ＬＥＤ収容室３の正面（下面）には図４に示すように透明プラスチック又はガラス製の透明板５が取り付けられていて、ＬＥＤの照明光はこの透明板５を経由して下向きに照射する。
【００２７】
６は前記ＬＥＤ収容室３の天板７の上面に備え付けた取付金具であって、対向するようにフック８、８ａが形成されていて、図４に示すようにポール取付金具（バンド）９の係合片１０、１０ａをこのフック８、８ａに係合させ、緊締ボルト１１及びナット１１ａにより割り片９ａ、９ｂを締め付けて本案視線誘導灯１を図５に示すようにポール１２に取り付けることができる。なお、視線誘導灯１を取り付けるためのポールの形態は問わない。
【００２８】
１３はＬＥＤ収容室３内の基板１４に取り付けられた複数の高輝度ＬＥＤであって、この高輝度ＬＥＤ１３は、同心円線上であって、内側の円線上には等間隔で下向きに８ヶ、外側の円線上には等間隔で下向きに８ヶの計１６ヶが配置されている。
【００２９】
この視線誘導灯１を用いて照度分布試験を行った。このときの高輝度ＬＥＤ１３は橙色のＲＬＤ２４−Ａ−１０Ａ−Ａ（５９０ｍｍアンバー）であり、ＤＣ１２Ｖ、１．０４Ａの電力を印加した。
【００３０】
この視線誘導灯１を５ｍの高さから平面に向けて照射したときの照度分布は、中心で３３０ルクス、半径８０ｃｍのところで６．５ルクス、半径１５０ｃｍのところで１．８ルクスであった。この照度があれば、地吹雪のような悪条件の時でも路肩部分の視線誘導光としては十分である。この時用いた照度計はＹＯＫＯＧＡＷＡ５１００１である。
【００３１】
次に、上記試験では円形の照射角になるように高輝度ＬＥＤ１３を配置したが、長円の照射角となるように高輝度ＬＥＤ１３を配置して同一条件で試験した。この時の照度は、中心で１５２ルクス、長径２２０ｃｍで１．６ルクス、短径１２０ｃｍで３ルクスであった。この照度があれば、地吹雪のような悪条件の時でも路肩部分の視線誘導光としては十分である。
【００３２】
上記は、視線誘導灯１の構成と効果の一例であるが、設置場所等の条件に応じて高輝度ＬＥＤ１３の数、配置は任意に設計される。
【００３３】
以上に説明した視線誘導灯１を３ｍの高さに設置し、地吹雪中において、５０ｍ離れたところから視認テストを行った結果、視線誘導灯としての機能を確認できた。
【００３４】
上記視線誘導灯１において、ＬＥＤ収容室３の正面には、透明なアクリル板を取り付けて用いたが、勿論ガラス板を用いることもできる。又、これら透明なアクリル又はガラス板に換えてレンズ性能の樹脂あるいはガラスを取り付けて照度及び角度を制御するようにしても良い。
【００３５】
以上に説明した視線誘導灯１は、図５に示すようにポール１２にポール取付金具９を用いて単独で取り付けて用いる場合と、図６に示すように既設の矢羽根１５のところに並設して用いる場合と、矢羽根１５の裏側に直接取り付けて用いる場合とがある。
【００３６】
このことから、ポール取付金具９は、ポール１２の径や断面に自在に対応できるようにバンド式が好ましいが、それ以外の公知の緊締金具用いるようにしても良い。
【００３７】
本実施例において、ＬＥＤ収容室３は平面（正面）視四角形としたが、円形としても良く、また屋根４もこの円形のＬＥＤ収容室３に合わせて、コーン形状（円錐状）としても良い。
【００３８】
誘導灯本体２は、上記実施例においては、耐候性上アルミ板製としたが、勿論ステンレス製としても良く、用途次第では樹脂製としても良い。
【００３９】
また、高輝度ＬＥＤ１３は、路温センサー等を用いて走行状況に合わせて照度を切り替えることにより、より高い視線誘導効果を発揮できるようにしても良い。
【００４０】
また、昼間センサーを利用して夜間だけ駆動する制御回路を付加しても良い。
【図面の簡単な説明】
【００４１】
【図１】視線誘導灯全体の正面図
【図２】視線誘導灯全体の側面図
【図３】ＬＥＤ収容室の正面図
【図４】Ａ−Ａ´線断面図
【図５】本発明視線誘導灯をポールに取り付けて用いた場合の説明図
【図６】矢羽根と一緒に本発明視線誘導灯を用いた場合の説明図
【符号の説明】
【００４２】
１  視線誘導灯
２  誘導灯本体
３  ＬＥＤ収容室
４  屋根
５  透明板
６  取付金具
７  天板
８、８ａ  フック
９  ポール取付金具
９、９ａ  割り片
１０、１０ａ  係合片
１１  緊締ボルト
１１ａ  ナット
１２  ポール
１３  光輝度ＬＥＤ
１４  基盤
１５  矢羽根
【図１】
2010174530.tif 000003
【図２】
2010174530.tif 000004
【図３】
2010174530.tif 000005
【図４】
2010174530.tif 000006
【図５】
2010174530.tif 000007
【図６】
2010174530.tif 000008